(57)【要約】【課題】  本発明は、待機状態における消費電力を従来よりもさらに抑制し得るインターホン親機及びインターホンシステムを提供する。【解決手段】  本発明に係る、動作を制御する制御部と制御部へ駆動電力を供給する電源部１１８とを備え、ドアホン子機との間で通話を成立させ得るインターホン親機は、電源部１１８と制御部との間に介在し、ドアホン子機からの呼出しを待ち受ける待機状態の場合に、電力が供給されるオン期間と電力が遮断されるオフ期間とが繰り返されて電源部１１８からパルス状の電力が供給され、オン期間ではコンデンサに電荷を蓄積すると共に電源部１１８から供給される電力に基づいて制御部へ駆動電力を供給し、オフ期間ではコンデンサに蓄積されている電荷に基づいて制御部１１８へ駆動電力を供給する待機時制御部消費電力低減部２１を備える。【選択図】      図２
2005311441.tif 000002
【特許請求の範囲】
【請求項１】
動作を制御する制御部とドアホン子機に駆動電力を供給する供給部と前記制御部及び前記供給部へ駆動電力を供給する電源部とを備え、ドアホン子機との間で通話を成立させ得るインターホン親機において、
前記電源部と前記制御部との間に介在し、前記ドアホン子機からの呼出しを待ち受ける待機状態の場合に、電力が供給されるオン期間と電力が遮断されるオフ期間とが繰り返されて前記電源部からパルス状の電力が供給され、前記オン期間ではコンデンサに電荷を蓄積すると共に前記電源部から供給される電力に基づいて前記制御部へ駆動電力を供給し、前記オフ期間では前記コンデンサに蓄積されている電荷に基づいて前記制御部へ駆動電力を供給する待機時制御部消費電力低減部を備えること
を特徴とするインターホン親機。
【請求項２】
前記供給部と前記電源部との間に介在し、前記待機状態の場合に、電力が供給されるオン期間と電力が遮断されるオフ期間とが繰り返されて前記電源部からパルス状の電力が供給され、前記オン期間ではコンデンサに電荷を蓄積すると共に前記電源部から供給される電力に基づいて前記供給部へ駆動電力を供給し、前記オフ期間では前記コンデンサに蓄積されている電荷に基づいて前記供給部へ駆動電力を供給する待機時子機消費電力低減部をさらに備えること
を特徴とする請求項１に記載のインターホン親機。
【請求項３】
前記オン期間の時間とオフ期間の時間との比であるデューティ比を変更可能に設定するデューティ比設定部をさらに備えること
を特徴とする請求項１又は請求項２に記載のインターホン親機。
【請求項４】
インターホン親機とドアホン子機とを備えるインターホンシステムにおいて、
前記インターホン親機は、請求項１乃至請求項３の何れか１項に記載のインターホン親機であること
を特徴とするインターホンシステム。
【発明の詳細な説明】
【技術分野】
【０００１】
本発明は、待機状態における消費電力を低減するインターホン親機に関する。そして、該インターホン親機を用いたインターホンシステムに関する。
【背景技術】
【０００２】
従来、来訪者が住戸内の居住者に来訪を知らせるための機器としてインターホンシステムが知られている。インターホンシステムは、来訪者が住戸内の居住者を呼び出すための呼出機能と来訪者が居住者と通話を行うための通話機能とを少なくとも備えるドアホン子機と、ドアホン子機の呼出機能による来訪者の呼出しを報知するための報知機能と居住者が来訪者と通話を行うための通話機能とを少なくとも備えるインターホン親機とを備える。そして、近年では、住戸外の様子が観察可能なカメラ付きのインターホンシステムも知られている。
【０００３】
図４は、背景技術に係るカメラ付きのインターホンシステムの構成を示すブロック図である。図５は、背景技術に係る電源部の構成を示す図である。
【０００４】
図４において、カメラ付きのインターホンシステム１０１は、リビングやダイニング等の室内に設置されるインターホン親機（以下、「親機」と略記する。）１０２と、門柱や玄関等の屋外施設に設置され親機１０２に接続されるドアホン子機（以下、「子機」と略記する。）１０３とを備えて構成される。
【０００５】
子機１０３は、カメラ付きのドアホン子機であり、受電部１２１と、映像送信処理部１２２と、撮像部１２３と、子機側多重分離部１２４と、呼出釦１２５と、子機側音声処理部１２６と、子機側音声入出力部１２７とを備えて構成される。
【０００６】
撮像部１２３は、被写体光像を光電変換して映像信号を出力する撮像素子と、撮像素子の撮像面に被写体光像を結像させる光学系とを備えて構成される。撮像部１２３の映像信号は、映像送信処理部１２２に出力される。撮像素子は、受光した光をその光強度に従った電気信号に変換する複数の受光素子をマトリックス状に配置した光電変換素子であり、例えば、ＣＣＤ（Charge-Coupled Devices）やＣＭＯＳ（Complementary Metal-Oxide Semiconductor）の固体撮像素子等である。映像送信処理部１２２は、入力された映像信号を変調して映像変調信号を生成し、この映像変調信号を子機側多重分離部１２４に出力する回路である。
【０００７】
呼出釦１２５は、親機１０２の親機側音入出力部１１６から呼出音を鳴動させるための呼出信号を親機１０２に送信するための回路であり、例えば、押釦スイッチ等である。呼出信号は、呼出釦１２４から子機側多重分離部１２４へ出力される。来訪者は、この呼出釦１２４を操作することによって、住戸内の居住者に来訪者の存在があることを知らせる。呼出信号は、例えば、所定のハイレベルの電圧が所定のローレベルの電圧に降下すること、より具体的には約１２Ｖの電圧がグランドレベルの電圧に降下することである。
【０００８】
子機側音声処理部１２６は、子機側多重分離部１２４からの音声信号を復調し増幅してから子機側音入出力部１１６に出力すると共に、子機側音入出力部１１６から入力された音声信号を増幅し子機側多重分離部１２４に出力する。子機側音入出力部１２６は、子機側音声処理部１２５から入力された音声信号を音声に変換して再生出力すると共に、主に来訪者の音声を音声信号に変換して子機側音声処理部１２５に出力する。子機側音入出力部１２６は、例えばマイクロホン等の音声を音声信号に変換する音入力部と例えばスピーカ等の音声信号を音声に変換する音出力部とで構成される。あるいは、例えば、音声の入出力を兼ねたスピーカで構成される。
【０００９】
子機側多重分離部１２４は、映像送信処理部１２２からの映像変調信号、呼出釦１２５からの呼出信号、及び、子機側音声処理部１２６からの音声信号を多重化して親機１０２に送信すると共に、親機１０２から多重化して受信された音声信号及び直流電源を分離して、音声信号を子機側音声処理部１２６に出力し、直流電源を受電部１２１に出力する。受電部１２１は、子機側多重分離部１２４からの直流電源を破線で示すように映像送信処理部１２２、撮像部１２３、子機側音声処理部１２６及び子機側音声入出力部１２７にそれぞれ供給する。
【００１０】
一方、親機１０２は、表示部１１１と、映像受信処理部１１２と、操作部１１３と、制御部１１４と、親機側多重分離部１１５と、親機側音声入出力部１１６と、親機側音声処理部１１７と、電源部１１８とを備えて構成される。
【００１１】
親機側多重分離部１１５は、電源部１１８からの直流電圧に親機側音声処理部１１７からの音声信号を多重化して子機１０３に出力すると共に、子機１０３から出力され多重化されている映像変調信号、呼出信号及び音声信号を映像受信処理部１１２、制御部１１４及び親機側音声処理部１１７にそれぞれ出力する。制御部１１４は、例えばマイクロプロセッサやメモリ等を備えて構成され、親機側多重分離部１１５からの呼出信号及び操作部１１３からの操作信号に基づいて親機１０２の各部を制御する。
【００１２】
映像受信処理部１１２は、制御部１１４の制御に従って映像変調信号を映像信号に復調して表示部１０５に出力する回路である。表示部１１１は、映像受信処理部１１２からの映像信号を画像表示する。表示部１１１は、例えば、ＣＲＴディスプレイ、液晶ディスプレイ（ＬＣＤ）及び有機ＥＬのディスプレイ等である。操作部１１３は、親機１０２と子機１０３との間で通話の開始及び終了の指示等の、親機１０２を操作するための指示を入力する回路であり、入力された指示は、制御部１１４に出力される。
【００１３】
親機側音声処理部１１７は、制御部１１４の制御に従って音声信号を復調し増幅してから親機側音入出力部１１６に出力すると共に、親機側音入出力部１１６から入力された音声信号を増幅し親機側多重分離部１１５に出力する。親機側音入出力部１１６は、親機側音声処理部１１７から入力された音声信号を音声に変換して再生出力すると共に、主に居住者の音声を音声信号に変換して親機側音声処理部１１６に出力する。
【００１４】
電源部１１８は、交流１００Ｖの商用電源に接続され、破線で示すように、表示部１１１、映像受信処理部１１２、制御部１１４、親機側多重分離部１１５、親機側音声入出力部１１６及び親機側音声処理部１１７の各部に駆動電力を供給する。
【００１５】
来訪者が居住者を呼び出すために呼出釦１２５を操作すると、呼出信号が子機１０３から親機１０２に送信され、制御部１１４は、親機１０２の各部を待機状態から動作状態に切替えて、親機側音声処理部１１７を介して親機側音声入出力部１１６から呼出音を出力する。動作状態に切り替わると、撮像部１２３で撮像された映像は、映像送信処理部１２２、子機側多重分離部１２４、親機側多重分離部１１５及び映像受信処理部１１２でそれぞれ処理され、表示部１１１に表示される。そして、親機１０２及び子機１０３は、通話可能な状態になる。このようなテレビ付きのインターホンシステムは、例えば、特許文献１に開示されている。
【００１６】
そして、電源部１１８をさらに詳述すると、例えば図５に示すように、電源部１１８は、入力端子ＶＣｉｎと、出力端子ＶＣｏｕｔ１、ＶＣｏｕｔ２、ＶＣｏｕｔ３と、ダイオードブリッジ２０１、ＤＣ／ＤＣコンバータ２０２、電源トランス２０３、ホトカプラ２０４、ダイオードＤ１、シャントレギュレータＳＲＧ１、コイルＬ１、抵抗器Ｒ１、Ｒ２、Ｒ３とを備える。
【００１７】
商用電源から約１００Ｖの交流電圧が入力される入力端子ＶＣｉｎは、交流電圧を直流電圧に全波整流するダイオードブリッジ２０１の交流入力端子に接続される。ダイオードブリッジ２０１の一方の直流出力端子は、電源トランス２０３の一方の入力端子に接続され、ダイオードブリッジ２０１の他方の直流出力端子は、接地される。電源トランス２０３の一方の入力端子には、ダイオードＤ１のカソードが接続され、電源トランス２０３の他方の入力端子には、ダイオードＤ１のアノードが接続される。ＤＣ／ＤＣコンバータ２０２の出力端子は、ダイオードＤ１のアノード及び電源トランス２０３の他方の入力端子に接続される。ＤＣ／ＤＣコンバータ２０２の両入力端子は、ホトカプラ２０４の両出力端子にそれぞれ接続される。ＤＣ／ＤＣコンバータ２０２の接地端子は、接地される。
【００１８】
電源トランス２０３における約２２Ｖの直流電圧を出力する出力端子は、出力端子ＶＣｏｕｔ１に接続される。電源トランス２０３における約１２Ｖの直流電圧を出力する出力端子は、コイルＬ１を介して出力端子ＶＣｏｕｔ２に接続される。電源トランス２０３における約８Ｖの直流電圧を出力する出力端子は、出力端子ＶＣｏｕｔ３に接続される。電源トランス２０３に接続するコイルＬ１における一方の端子は、シャントレギュレータＳＲＧ１のアノードが接地されるように、抵抗器Ｒ１及びシャントレギュレータＳＲＧ１を介して接地され、出力端子ＶＣｏｕｔ２に接続するコイルＬ１における他方の端子は、抵抗器Ｒ２及び抵抗器Ｒ３を介して接地される。抵抗器Ｒ１の両端は、ホトカプラ２０４の両入力端子にそれぞれ接続される。抵抗器Ｒ２と抵抗器Ｒ３との接続点は、シャントレギュレータＳＲＧ１のレファレンス端子に接続される。
【００１９】
電源トランス２０３の約１２Ｖの直流電圧における電圧変動は、コイルＬ１、抵抗器Ｒ１、Ｒ２、Ｒ３及びシャントレギュレータＳＲＧ１によって検出され、電源トランス２０３の入力側と出力側とを電気的に遮断するホトカプラ２０４によってＤＣ／ＤＣコンバータ２０２の入力端子に伝達される。ＤＣ／ＤＣコンバータ２０２は、この電圧変動を補償するように電源トランス２０３の入力電圧を調整する。このように動作することによって出力端子ＶＣｏｕｔ２から電圧変動の少ない安定した約１２Ｖの直流電圧が出力される。
【００２０】
このような電源部１１８は、消費電力の抑制を図べく、来訪者を待ち受けている待機状態では親機１０２の制御部１１４のみを動作させると共に親機側多重分離部１１５を介して子機１０３へ低い電圧を給電する一方、来訪者と居住者との間で通話をしたり屋外の様子を観察したりする動作状態では、親機１０２の各部に給電すると共に親機側多重分離部１１５を介して子機１０３へ高い電圧を給電する。例えば、待機状態では、電源部１１８の出力端子ＶＣｏｕｔ３から約８Ｖの直流電圧が親機１０２の制御部１１４に供給されると共に、電源部１１８の出力端子Ｖｏｕｔ２から約１２Ｖの直流電圧が子機１０３に供給される。一方、動作状態では、電源部１１８の出力端子ＶＣｏｕｔ３から約８Ｖの直流電圧が親機１０２における表示部１１１、映像受信処理部１１２、制御部１１４、親機側音声入出力部１１６及び親機側音声処理部１１７の各部に供給され、電源部１１８の出力端子ＶＣｏｕｔ１から約２２Ｖの直流電圧が子機１０３に供給される。
【特許文献１】特開２００１−２４５０５７号公報
【発明の開示】
【発明が解決しようとする課題】
【００２１】
ところで、従来、低消費電力化を図るために上述のように待機状態では親機の制御部のみに給電すると共に動作状態よりも低い電圧を子機に供給するように構成されているが、社会における省エネルギーの推進等により、さらに消費電力の削減が要望されている。
【００２２】
本発明は、上述の事情に鑑みて為された発明であり、待機状態における消費電力を従来よりもさらに抑制し得るインターホン親機を提供することを目的とする。そして、このようなインターホン親機を用いたインターホンシステムを提供することを目的とする。
【課題を解決するための手段】
【００２３】
上述の目的を達成するために、本発明の一態様に係る、動作を制御する制御部と前記制御部へ駆動電力を供給する電源部とを備え、ドアホン子機との間で通話を成立させ得るインターホン親機は、前記電源部と前記制御部との間に介在し、前記ドアホン子機からの呼出しを待ち受ける待機状態の場合に、電力が供給されるオン期間と電力が遮断されるオフ期間とが繰り返されて前記電源部からパルス状の電力が供給され、前記オン期間ではコンデンサに電荷を蓄積すると共に前記電源部から供給される電力に基づいて前記制御部へ駆動電力を供給し、前記オフ期間では前記コンデンサに蓄積されている電荷に基づいて前記制御部へ駆動電力を供給する待機時制御部消費電力低減部を備えることを特徴とする。
【００２４】
そして、上述のインターホン親機において、前記供給部と前記電源部との間に介在し、前記待機状態の場合に、電力が供給されるオン期間と電力が遮断されるオフ期間とが繰り返されて前記電源部からパルス状の電力が供給され、前記オン期間ではコンデンサに電荷を蓄積すると共に前記電源部から供給される電力に基づいて前記供給部へ駆動電力を供給し、前記オフ期間では前記コンデンサに蓄積されている電荷に基づいて前記供給部へ駆動電力を供給する待機時子機消費電力低減部をさらに備えることを特徴とする。
【００２５】
また、これら上述のインターホン親機において、前記オン期間の時間とオフ期間の時間との比であるデューティ比を変更可能に設定するデューティ比設定部をさらに備えることを特徴とする。
【００２６】
そして、本発明の他の一態様に係る、インターホン親機とドアホン子機とを備えるインターホンシステムは、前記インターホン親機が上述における何れかのインターホン親機であることを特徴とする。
【発明の効果】
【００２７】
このような構成のインターホン親機及びインターホンシステムは、待機時制御部消費電力低減部や待機時子機消費電力低減部が待機状態において電源部からパルスで電力の供給を受け、制御部やドアホン子機に駆動電力を供給するので、消費電力が低減される。
【発明を実施するための最良の形態】
【００２８】
以下、本発明に係る実施形態を図面に基づいて説明する。なお、各図において同一の符号を付した構成は、同一の構成であることを示し、その説明を省略する。
（実施形態の構成）
図１において、本実施形態に係るカメラ付きのインターホンシステム１は、リビングやダイニング等の室内に設置されるインターホン親機（以下、「親機」と略記する。）２と、門柱や玄関等の屋外施設に設置され親機２に接続されるドアホン子機（以下、「子機」と略記する。）３とを備えて構成される。親機２は、表示部１１１と、映像受信処理部１１２と、操作部１１３と、制御部１１と、親機側多重分離部１１５と、親機側音声入出力部１１６と、親機側音声処理部１１７と、低減機能付き電源部１２とを備えて構成される。子機３は、カメラ付きのドアホン子機であり、受電部１２１、映像送信処理部１２２と、撮像部１２３と、子機側多重分離部１２４と、呼出釦１２５と、子機側音声処理部１２６と、子機側音声入出力部１２７とを備えて構成される。
【００２９】
即ち、本実施形態に係る親機２は、図４を用いて説明した親機１０２の制御部１１４及び電源部１１８に代えて制御部１１及び低減機能付き電源部１２が用いられる点を除き、図４を用いて説明した親機１０２及びドアホン子機１０３と同様であるので、共通する構成については、その説明を省略する。
【００３０】
制御部１１は、図４を用いて説明した制御部１１４の機能に加えて、待機状態の場合において電源部１２にハイレベルとローレベルが繰り返されるパルス信号を出力する。以下、本実施形態の特徴となる低減機能付き電源部１２の構成について説明する。
【００３１】
図２は、実施形態に係る低減機能付き電源部の構成を示すブロック図である。図３は、待機時制御部消費電力低減部の回路及び待機時子機消費電力低減部の回路を示す回路図である。図３（Ａ）は、待機時制御部消費電力低減部の回路を示し、図３（Ｂ）は、待機時子機消費電力低減部の回路を示す。
【００３２】
図２において、低減機能付き電源部１２は、入力端子Ｖｉｎと、出力端子Ｖｏｕｔ１、Ｖｏｕｔ２、Ｖｏｕｔ３−１、Ｖｏｕｔ３−２と、パルス信号入力端子Ｃｉｎ１、Ｃｉｎ２と、待機時制御部消費電力低減部２１と、待機時子機消費電力低減部２２とを備える。即ち、低減機能付き電源部１２は、背景技術に係る電源部１１８に加えて、待機時制御部消費電力低減部２１及び待機時子機消費電力低減部２２を備えて構成される。背景技術に係る電源部１１８は、待機状態において、制御部１１４の駆動電力として電源トランス２０３から直接制御部１１４に約８Ｖの直流電圧を供給すると共に、子機１０３の駆動電力として電源トランス２０３から直接親機側多重分離部１１５に約１２Ｖの直流電圧を供給していたが、本実施形態に係る低減機能付き電源部１２は、待機状態において制御部１１の駆動電力として電源部１１８から待機時制御部消費電力低減部２１を介して制御部１１に直流電圧が供給されると共に、子機１０３の動作電圧として電源部１１８から待機時子機消費電力低減部２２を介して親機側多重分離部１１５に直流電圧が供給される。
【００３３】
待機時制御部消費電力低減部２１は、待機状態の場合に、電力が供給されるオン期間と電力が遮断されるオフ期間とが繰り返されて電源部１１８からパルス状の電力が供給され、オン期間ではコンデンサに電荷を蓄積すると共に電源部１１８から供給される電力に基づいて制御部１１へ駆動電力を供給し、オフ期間ではコンデンサに蓄積されている電荷に基づいて制御部１１へ駆動電力を供給する。
【００３４】
待機時制御部消費電力低減部２１は、例えば図３（Ａ）に示すように、電源部１１８の出力端子ＶＣｏｕｔ３に接続される入力端子ＶＡｉｎと、出力端子Ｖｏｕｔ３−１に接続される出力端子ＶＡｏｕｔ１と、出力端子Ｖｏｕｔ３−２に接続される出力端子ＶＡｏｕｔ２と、パルス信号入力端子Ｃｉｎ２に接続されるパルス信号入力端子ＣＡｉｎと、レギュレータＲＧ１１、ＲＧ１２と、トランジスタＴｒ１１、Ｔｒ１２と、抵抗器Ｒ１１、Ｒ１２、Ｒ１３、Ｒ１４、Ｒ１５と、コンデンサＣ１１とを備える。
【００３５】
入力端子ＶＡｉｎには、ｐｎｐ型のトランジスタＴｒ１１におけるエミッタ端子と、抵抗器Ｒ１３の一方端子と、レギュレータＲＧ１１の入力端子とが接続される。レギュレータＲＧ１１は、安定した所定の電圧値の直流電圧を出力する回路であり、例えば、３端子レギュレータ、シリーズレギュレータ及びスイッチングレギュレータ等である。所定の電圧値は、供給対象の回路における駆動電圧値であり、本実施形態では、約５Ｖの直流電圧を出力する。後述のレギュレータＲＧ２１も同様である。
【００３６】
トランジスタＴｒ１１におけるコレクタ端子は、コンデンサＣ１１を介して接地される。トランジスタＴｒ１１におけるエミッタ端子とベース端子との間には、抵抗器Ｒ１１が接続される。そして、トランジスタＴｒ１１のベース端子は、抵抗器Ｒ１２を介してトランジスタＴｒ１２のコレクタ端子に接続される。ｎｐｎ型のトランジスタＴｒ１２におけるエミッタ端子は、接地される。トランジスタＴｒ１２におけるコレクタ端子とベース端子との間には、抵抗器Ｒ１４が接続される。そして、トランジスタＴｒ１２のベース端子は、抵抗器Ｒ１５を介してパルス信号入力端子ＣＡｉｎに接続される。
【００３７】
抵抗器Ｒ１３の他方端子は、パルス信号入力端子ＣＡｉｎに接続される。即ち、抵抗器Ｒ１３の他方端子は、抵抗器Ｒ１５を介してトランジスタＴｒ１２のベース端子に接続される。レギュレータＲＧ１１の出力端子は、出力端子ＶＡｏｕｔ１に接続される。そして、トランジスタＴｒ１１のコレクタ端子とコンデンサＣ１１との接続点には、レギュレータＧＲ１２の入力端子が接続され、レギュレータＧＲ１２の出力端子は、出力端子ＶＡｏｕｔ２に接続される。
【００３８】
待機時子機消費電力低減部２２は、待機状態の場合に、電源部１１８からパルス状の電力が供給され、オン期間ではコンデンサに電荷を蓄積すると共に電源部１１８から供給される電力に基づいて親機側多重分離部１１５へ駆動電力を供給し、オフ期間ではコンデンサに蓄積されている電荷に基づいて親機側多重分離部１１５へ駆動電力を供給する。親機側多重分離部１１５は、請求項の供給部の一実施形態である。
【００３９】
待機時子機消費電力低減部２２は、例えば図３（Ｂ）に示すように、電源部１１８の出力端子ＶＣｏｕｔ３に接続される入力端子ＶＢｉｎ１と、電源部１１８の出力端子ＶＣｏｕｔ２に接続される入力端子ＶＢｉｎ２と、出力端子Ｖｏｕｔ２に接続される出力端子ＶＢｏｕｔと、パルス信号入力端子Ｃｉｎ１に接続されるパルス信号入力端子ＣＢｉｎと、レギュレータＲＧ２１、ＲＧ２２と、トランジスタＴｒ２１、Ｔｒ２２と、抵抗器Ｒ２１、Ｒ２２、Ｒ２３、Ｒ２４、Ｒ２５と、コンデンサＣ２１とを備える。
【００４０】
入力端子ＶＢｉｎ１は、抵抗器Ｒ２３を介してパルス入力入力端子ＣＢｉｎに接続される。入力端子ＶＢｉｎ２には、ｐｎｐ型のトランジスタＴｒ２１におけるエミッタ端子が接続される。
【００４１】
トランジスタＴｒ２１におけるコレクタ端子は、コンデンサＣ２１を介して接地される。トランジスタＴｒ２１におけるエミッタ端子とベース端子との間には、抵抗器Ｒ２１が接続される。そして、トランジスタＴｒ２１のベース端子は、抵抗器Ｒ２２を介してトランジスタＴｒ２２のコレクタ端子に接続される。ｎｐｎ型のトランジスタＴｒ２２におけるエミッタ端子は、接地される。トランジスタＴｒ２２におけるコレクタ端子とベース端子との間には、抵抗器Ｒ２４が接続される。そして、トランジスタＴｒ２２のベース端子は、抵抗器Ｒ２５を介してパルス信号入力端子ＣＢｉｎに接続される。そして、トランジスタＴｒ２１のコレクタ端子とコンデンサＣ２１との接続点は、出力端子ＶＢｏｕｔに接続される。
【００４２】
これらトランジスタＴｒ１１、Ｔｒ１２、Ｔｒ２１及びＴｒ２２は、スイッチング素子の一例であり、これに限定されるものではなく、例えば、ＦＥＴ等の他のスイッチング素子でもよい。
【００４３】
図２に戻って、入力端子Ｖｉｎは、商用電源から約１００Ｖの交流電圧が入力され、電源部１１８の入力端子ＶＣｉｎに接続される。出力端子Ｖｏｕｔ１は、電源部１１８の出力端子ＶＣｏｕｔ１に接続され、出力端子Ｖｏｕｔ２は、待機時子機消費電力低減部２２の出力端子ＶＢｏｕｔに接続され、出力端子Ｖｏｕｔ３−１は、待機時制御部消費電力低減部２１の出力端子ＶＡｏｕｔ１に接続され、出力端子Ｖｏｕｔ３−２は、待機時制御部消費電力低減部２１の出力端子ＶＡｏｕｔ２に接続される。そして、パルス信号入力端子Ｃｉｎ１は、待機時子機消費電力低減部２２のパルス信号入力端子ＣＢｉｎに接続され、パルス信号入力端子Ｃｉｎ２は、待機時制御部消費電力低減部２１のパルス信号入力端子ＣＡｉｎに接続される。
【００４４】
そして、図１に戻って、出力端子Ｖｏｕｔ１は、親機側多重分離部１１５に接続され、出力端子Ｖｏｕｔ２は、親機側多重分離部１１５、表示部１１１、親機側音声入出力部１１６及び親機側音声処理部１１７に接続され、出力端子Ｖｏｕｔ３−１は、映像受信処理部１１２及び親機側音声処理部１１７に接続され、出力端子Ｖｏｕｔ３−２は、制御部１１に接続される。そして、パルス信号入力端子Ｃｉｎ１、Ｃｉｎ２は、制御部１１に接続され、パルス信号が入力される。
【００４５】
次に、本実施形態の動作について説明する。
（実施形態の動作）
カメラ付きのインターホンシステム１が住戸等に設置され、入力端子Ｖｉｎが商用電源に接続されると、電源部１１８の出力端子ＶＣｏｕｔ３から約８Ｖの直流電圧が待機時制御部消費電力低減部２１の入力端子ＶＡｉｎ及び待機時子機消費電力低減部２２の入力端子ＶＢｉｎ１に出力され、そして、電源部１１８の出力端子ＶＣｏｕｔ２から約１２Ｖの直流電圧が待機時子機消費電力低減部２２の入力端子ＶＢｉｎ２に出力される。
【００４６】
待機時制御部消費電力低減部２１では、入力端子ＶＡｉｎに約８Ｖの直流電圧が入力されると、この約８Ｖの直流電圧が抵抗器Ｒ１３及び抵抗器Ｒ１５を介してトランジスタＴｒ１２のベース端子に印加され、トランジスタＴｒ１２をオンにスイッチングする。トランジスタＴｒ１２がオンするとトランジスタＴｒ１１のベース電流が引っ張られ、トランジスタＴｒ１１がオンする。トランジスタＴｒ１１がオンすると、コンデンサＣ１１がチャージされ、レギュレータＲＧ１２に約８Ｖの直流電圧が入力される。約８Ｖの直流電圧は、レギュレータＲＧ１２で約５Ｖに降圧されて出力端子ＶＡｏｕｔ２から出力される。この出力端子ＶＡｏｕｔ２から出力された約５Ｖの直流電圧は、制御部１１へ駆動電力として出力される。
【００４７】
制御部１１は、駆動電力が供給されると、起動され、所定のデューティ比のパルス信号を入力端子ＣＡｉｎに出力する。所定のデューティ比は、例えばハイレベルの間における時間とローレベルの間における時間との比が１：１であるデューティ比０．５である。
【００４８】
入力端子ＣＡｉｎにパルス信号が入力されると、パルス信号のハイレベルの信号及びローレベルの信号に応じてトランジスタＴｒ１２がオン及びオフする。そして、トランジスタＴｒ１２のオン及びオフに応じてトランジスタＴｒ１１がオン及びオフする。
【００４９】
トランジスタＴｒ１１がオン及びオフすると、トランジスタＴｒ１１がオフの間（オフ期間）では、電源部１１８の出力端子ＶＣｏｕｔ２から約８Ｖの直流電圧の電力供給が停止され、消費電力が低減される。例えば、デューティ比を０．５とすることによって待機状態における約８Ｖの直流電圧の消費電力を従来の略半分に削減することができる。そして、トランジスタＴｒ１１がオンの間（オン期間）では、コンデンサＣ１１がチャージされ、レギュレータＲＧ１２に約８Ｖの直流電圧が入力され、レギュレータＲ１２で約５Ｖに降圧された直流電圧が出力端子ＶＡｏｕｔ２を介して制御部１１に供給される一方、上記オフ期間では、チャージされた電荷によってコンデンサＣ１１がレギュレータＲＧ１２に直流電圧を出力し、レギュレータＲ１２で約５Ｖに降圧された直流電圧が出力端子ＶＡｏｕｔ２を介して制御部１１に出力される。コンデンサＣ１１は、電荷の放電によってレギュレータＲＧ１２に出力する電圧が約８Ｖから徐々に降下するがレギュレータＲＧ１２における入力電圧の変動幅の許容範囲を越える前に、パルス信号によってトランジスタＴｒ１１がオンし、コンデンサＣ１１の電圧が回復する。
【００５０】
このようにコンデンサＣ１１の容量は、パルス信号のローレベルの間においてレギュレータＲＧ１２に供給される電力を確保するために設けられるものであるから、パルス信号のデューティ比におけるローレベルの間の時間及びレギュレータＲＧ１２における入力電圧の変動幅の許容範囲等に応じて決定され、比較的大容量が必要な場合には、電解コンデンサが採用される。
【００５１】
そして、待機時制御部消費電力低減部２１では、入力端子ＶＡｉｎに入力された約８Ｖの直流電圧は、レギュレータＲＧ１１で約５Ｖに降圧されて出力端子ＶＡｏｕｔ１から出力される。この出力端子ＶＡｏｕｔ１から出力された約５Ｖの直流電圧は、出力端子Ｖｏｕｔ３−１を介して、映像受信処理部１１２及び親機側音声処理部１１７へ駆動電力として出力されるが、これら映像受信処理部１１２及び親機側音声処理部１１７は、制御部１１の制御に従ってその動作を停止しているので、電力は、消費されない。
【００５２】
ここで、トランジスタＴｒ１１及びトランジスタＴｒ１２が上述のようにパルス信号に応じて動作するので、電源部１１８の出力端子ＶＣｏｕｔ３から待機時制御部消費電力低減部２１に電力が供給されるオン期間の時間と電力が遮断されるオフ期間の時間との比であるデューティ比は、パルス信号のハイレベルの間における時間とローレベルの間における時間との比であるパルス信号のディーティー比に略相当することになる。
【００５３】
一方、待機時子機消費電力低減部２２では、入力端子ＶＢｉｎ１に約８Ｖの直流電圧が入力され、入力端子ＶＢｉｎ２に約１２Ｖの直流電圧が入力されると、入力端子ＶＢｉｎ１からの約８Ｖの直流電圧は、抵抗器Ｒ２３及び抵抗器Ｒ２５を介してトランジスタＴｒ２２のベース端子に印加され、トランジスタＴｒ２２をオンにスイッチングする。
【００５４】
トランジスタＴｒ２２がオンするとトランジスタＴｒ２１のベース電流が引っ張られ、トランジスタＴｒ２１がオンする。トランジスタＴｒ２１がオンすると、コンデンサＣ２１がチャージされ、入力端子ＶＢｉｎ２に入力された約１２Ｖの直流電圧が出力端子ＶＢｏｕｔから出力される。この出力端子ＶＢｏｕｔから出力された約１２Ｖの直流電圧は、親機側多重分離部１１５に出力される。そして、親機側多重分離部１１５は、制御部１１の制御に従って、この約１２Ｖの直流電圧を子機側多重分離１２４を介して受電部１２１に出力し、受電部１２１は、この約１２の直流電圧を映像送信処理部１２２、撮像部１２３、呼出釦１２５、子機側音声入出力部１２６及び子機側音声処理部１２７へ駆動電力として出力する。
【００５５】
この間に、制御部１１は、起動され、所定のデューティ比のパルス信号を入力端子ＣＢｉｎに出力する。所定のデューティ比は、例えばハイレベルの期間における時間とローレベルにおける期間の時間との比が１：１であるデューティ比０．５である。
【００５６】
入力端子ＣＢｉｎにパルス信号が入力されると、パルス信号のハイレベルの信号及びローレベルの信号に応じてトランジスタＴｒ２２がオン及びオフする。そして、トランジスタＴｒ２２のオン及びオフに応じてトランジスタＴｒ２１がオン及びオフする。
【００５７】
トランジスタＴｒ２１がオン及びオフすると、トランジスタＴｒ２１がオフの間（オフ期間）では、電源部１１８の出力端子ＶＣｏｕｔ２から約１２Ｖの直流電圧の電力供給が停止され、消費電力が低減される。そして、トランジスタＴｒ２１のオンの間（オン期間）では、コンデンサＣ２１がチャージされ、入力端子ＶＢｉｎ２からの約１２Ｖの直流電圧が出力端子ＶＢｏｕｔを介して親機側多重分離部１１５に供給される一方、トランジスタＴｒ２１のオフ期間では、チャージされた電荷によりコンデンサＣ２１によって直流電圧が出力端子ＶＢｏｕｔを介して親機側多重分離部１１５に供給される。コンデンサＣ２１は、電荷の放電によって親機多重分離部１１５に出力する電圧が約１２Ｖから徐々に降下するが子機３における入力電圧の変動幅の許容範囲を越える前に、パルス信号によってトランジスタＴｒ２１がオンし、コンデンサＣ２１の電圧が回復する。
【００５８】
このようにコンデンサＣ２１の容量は、パルス信号のローレベルの間において親機側多重分離部１１５に供給される電力を確保するために設けられるものであるから、即ち、待機状態において子機３に供給される直流電圧を確保するために設けられるものであるから、パルス信号のデューティ比におけるローレベルの間の時間及び子機３における入力電圧の変動幅の許容範囲等に応じて決定され、比較的大容量が必要な場合には、電解コンデンサが採用される。
【００５９】
なお、入力端子ＣＢｉｎに入力するパルス信号におけるデューティ比をデューティ比０．５にした一試験例では、電源部１１８の出力端子ＶＣｏｕｔ２から供給される約１２Ｖの直流電圧における消費電力が約１５％削減された。
【００６０】
ここで、トランジスタＴｒ２１及びトランジスタＴｒ２２が上述のようにパルス信号に応じて動作するので、電源部１１８の出力端子ＶＣｏｕｔ２から待機時子機消費電力低減部２２に電力が供給されるオン期間の時間と電力が遮断されるオフ期間の時間との比であるデューティ比は、パルス信号のハイレベルの間における時間とローレベルの間における時間との比であるパルス信号のディーティー比に略相当することになる。
【００６１】
このような待機状態において、来訪者が居住者を呼び出すために子機３の呼出釦１２５を操作すると、子機３は、呼出信号を親機２に送信する。親機２の制御部１１は、呼出信号を検出すると、パルス信号を常時ハイレベルの信号に変えて入力端子ＣＡｉｎ及び入力端子ＣＢｉｎに出力する。この常時ハイレベルの信号によって、待機時制御部消費電力低減部２１では、トランジスタＴｒ１２及びトランジスタＴｒ１１が常時オンになって出力端子ＶＡｏｕｔ２から約５Ｖの直流電圧が出力される。そして、この常時ハイレベルの信号によって、待機時子機消費電力低減部２２では、トランジスタＴｒ２２及びトランジスタＴｒ２１が常時オンになって出力端子ＶＢｏｕｔから約１２Ｖの直流電圧が安定的に出力される。
【００６２】
制御部１１は、出力端子ＶＡｏｕｔ２から、即ち、出力端子Ｖｏｕｔ３−２から出力される約５Ｖの直流電圧に基づいて動作する。そして、制御部１１は、出力端子ＶＢｏｕｔから、即ち、出力端子Ｖｏｕｔ２から出力される約１２Ｖの直流電圧、及び、出力端子ＶＡｏｕｔ１から、即ち、出力端子Ｖｏｕｔ３−１から出力される約５Ｖの直流電圧に基づいて映像受信処理部１１２及び親機側音声処理部１１７をそれぞれ動作させ、そして、出力端子Ｖｏｕｔ２から出力される約１２Ｖの直流電圧に基づいて表示部１１１及び親機側音声入出力部１１６をそれぞれ動作させる。また、制御部１１は、出力端子ＶＣｏｕｔ１から、即ち、出力端子Ｖｏｕｔ１から出力される約２２Ｖの直流電圧を親機側多重分離部１１５から出力させる。子機側多重分離部１２４は、親機側多重分離部１１５から出力された約２２Ｖの直流電圧を受電部１２１に出力し、受電部１２１は、駆動電力を映像送信処理部１２２、撮像部１２３、呼出釦１２５、子機側音声入出力部１２６及び子機側音声処理部１２７に供給する。このように制御部１１は、親機２の各部及び子機３の各部を待機状態から動作状態に切替える。
【００６３】
親機２の各部や子機３の各部が待機状態から動作状態に切り替わると、親機側音声処理部１１７を介して親機側音声入出力部１１６から呼出音を出力する。動作状態に切り替わると、撮像部１２３で撮像された映像が映像送信処理部１２２、子機側多重分離部１２４、親機側多重分離部１１５及び映像受信処理部１１２でそれぞれ処理され、表示部１１１に表示される。そして、親機２及び子機３は、通話可能な状態になる。
【００６４】
そして、親機２の動作をオフする操作が操作部１１３から入力されたり、所定に一定時間親機側音声入出力部１１６や子機側音声入出力部１２７に音声が入力されなかったたり等すると、制御部１１は、動作状態から待機状態に切替える。
【００６５】
このように動作することによって、本実施形態に係る親機２は、待機状態における消費電力を従来よりも低減することができる。このため電気代が節約される。
【００６６】
なお、上述の実施形態において、図１に一点鎖線で示すパルス信号のデューティ比を設定する設定部１３をさらに設けて、制御部１１から出力されるパルス信号のデューティ比を変更し、待機時制御部消費電力低減部２１や待機時子機消費電力低減部２２におけるオン期間の時間とオフ期間の時間との比であるデューティ比を変更することができるように構成してもよい。設定部１３を設けることによって消費電力の削減量を調整することができ、デューティ比を小さくしてパルス信号のハイーレベルの間の時間を短くすること（オフ期間を長くすること）によってより消費電力を低減することができる。
【図面の簡単な説明】
【００６７】
【図１】実施形態に係るカメラ付きのインターホンシステムの構成を示すブロック図である。
【図２】実施形態に係る低減機能付き電源部の構成を示す回路図である。
【図３】動作電源低減部の回路及び子機動作電源低減部の回路を示す回路図である。
【図４】背景技術に係るカメラ付きのインターホンシステムの構成を示すブロック図である。
【図５】背景技術に係る電源部の構成を示す図である。
【符号の説明】
【００６８】
１、１０１  カメラ付きのインターホンシステム
２、１０２  インターホン親機
３、１０３  ドアホン子機
１１、１１４  制御部
１２、１１８  電源部
１３  設定部
２１  待機時制御部消費電力低減部
２２  待機時子機消費電力低減部
【図１】
2005311441.tif 000003
【図２】
2005311441.tif 000004
【図３】
2005311441.tif 000005
【図４】
2005311441.tif 000006
【図５】
2005311441.tif 000007